(57)【要約】      （修正有）【課題】電気コネクタに関し、従来の電気コネクタにおいてシェルのロック状態が時の経過と共に緩くなってしまうことを防止する。【解決手段】コネクタハウジングの周囲の側壁部に固定されるシェルＡ２と、前記コネクタハウジングの上部平坦部を覆うように固定されるシェルＢ３とからなり、前記シェルＡには、当該シェルＡ本体部からコ字形に屈曲され延設された先端部に有するロックバネ２ａが設けられ、前記シェルＢ３には、前記挿抜方向に直交する水平な当該シェルＢの本体部からコ字形に屈曲されて延設され前記コネクタハウジングの側壁部に係合して挿抜方向の位置固定部となると共に、この位置固定部の先端から更に挿抜方向に延設された壁であって前記ロックバネの嵌合時における挿抜方向に直交する水平方向に逃げるのを阻止するように当接するロックバネ保持部となる固定部兼用ロックバネ保持部３ｄが設けられている低背形電気コネクタ１である。【選択図】図１
2010212054.tif 000002
【特許請求の範囲】
【請求項１】
金属製シェルをコネクタハウジングの略全面に囲堯させて成る電気コネクタであって、
前記シェルはコネクタハウジングを主に周囲の側壁部に固定されてこれを囲堯するシェルＡと、前記コネクタハウジングの上部平坦部を覆うように固定されて囲堯するシェルＢとからなり、
前記シェルＡには、嵌合相手方の雌型コネクタのシェルの係合接触部に挿抜方向である上下方向に沿って摺接する接触部を当該シェルＡ本体部からコ字形に屈曲され延設された先端部に有するロックバネが設けられ、
前記シェルＢには、前記挿抜方向に直交する水平な当該シェルＢの本体部からコ字形に屈曲されて延設され前記コネクタハウジングの側壁部に係合して挿抜方向の位置固定部となると共に、この位置固定部の先端から更に挿抜方向に延設された壁であって前記ロックバネの嵌合時における挿抜方向に直交する水平方向に逃げるのを阻止するように当接するロックバネ保持部となる固定部兼用ロックバネ保持部が設けられていること、
を特徴とする低背形電気コネクタ。
【請求項２】
係合接触と接触部とは、いずれも金型で押し潰して形成した凹部であること、
を特徴とする請求項１に記載の低背形電気コネクタ。
【発明の詳細な説明】
【技術分野】
【０００１】
本発明は、ノート型パーソナルコンピュータ（以下、ＰＣ）等における低背形でケーブル付きの雄型電気コネクタに関するものである。
【背景技術】
【０００２】
従来、プリント基板に高密度で表面実装される低背形のケーブル付き電気コネクタは、接触信頼性と低背化を図るもの（特許文献１参照）が知られている。また、小型化・低背化を実現しつつ確実なロック状態及び導通状態を実現し、プラグの挿抜を繰り返しても各部材に損傷を与えることが少なく、レセプタクルとプラグとの嵌合位置がずれた場合でも高いロック状態を実現するもの（特許文献２）が知られている。
【先行技術文献】
【特許文献】
【０００３】
【特許文献１】特開２００４−５５４６３号公報
【特許文献２】特開２００６−１００２４０号公報
【発明の概要】
【発明が解決しようとする課題】
【０００４】
しかし、従来の電気コネクタにおいては、コンタクトの接続が弱くなったり、コネクタハウジングをカバーする嵌合用のシェルにはロックバネがあるが、該ロックバネの係合力が時の経過により劣化するおそれがある。本発明に係る電気コネクタは、このような課題を解決するために提案されたものである。
【課題を解決するための手段】
【０００５】
本発明に係る電気コネクタの上記課題を解決して目的を達成するための要旨は、低背形のケーブル付き電気コネクタで、ＥＭＩ対策として金属製シェルをコネクタハウジングの略全面に囲堯させて成る雄型電気コネクタであり、前記シェルは薄肉で平板状のコネクタハウジングを主に周囲の側壁部に固定されてこれを囲堯するシェルＡと、前記コネクタハウジングの上部平坦部に固定されてこれを囲堯するシェルＢとからなり、前記シェルＡには、嵌合相手方の雌型コネクタのシェルの係合接触部に挿抜方向である上下方向に沿って摺接する接触部を当該シェルＡ本体部からコ字形に屈曲され延設された先端部に有するロックバネが設けられ、前記シェルＢには、前記挿抜方向に直交する水平な当該シェルＢの本体部からコ字形に屈曲されて延設され前記コネクタハウジングの側壁部に係合して挿抜方向の位置固定部となると共に、この位置固定部の先端から更に挿抜方向に延設された壁であって前記ロックバネの嵌合時における挿抜方向に直交する水平方向に逃げるのを阻止するように当接するロックバネ保持部となる固定部兼用ロックバネ保持部が設けられていることである。前記係合接触部と接触部とは、いずれも金型で押し潰して形成した凹部であることである。
【発明の効果】
【０００６】
本発明の電気コネクタによれば、前記雄型電気コネクタのシェルＢにおける固定部兼用ロックバネ保持部によって、コネクタハウジングに挿抜方向に位置固定されるので、前記シェルＢにプルタブを取り付けてこの雄型電気コネクタを嵌合相手の雌型コネクタから引き出すことができるようになる。更に、前記固定部兼用ロックバネ保持部によりシェルＡのロックバネが嵌合時に挿抜方向に直交する水平方向に撓むのを阻止するように押さえ込むので、当該ロックバネと嵌合相手方の雌型コネクタにおけるシェルの係合接触部とのロック強度が強いまま維持される様になる。また、接触部においては、凹部同士をずらして当接させ、一方の凹部の角部を他方の凹部に食い込ませて当接させることで、電気的接続が確実になる。
【図面の簡単な説明】
【０００７】
【図１】本発明に係る低背形電気コネクタ１の、分解組み立て図（Ａ），（Ｂ）である。
【図２】同本発明の低背形電気コネクタ１の斜視図である。
【図３】同低背形電気コネクタ１の背面図（Ａ），平面図（Ｂ），正面図（Ｃ），Ｘ−Ｘ船に沿った断面図（Ｄ），側面図（Ｅ）である。
【図４】同低背形電気コネクタ１の底面図である。
【図５】同低背形電気コネクタ１にプルタブ１０を取り付けた状態の正面図（Ａ）と側面図（Ｂ）とである。
【図６】雌型電気コネクタ５の斜視図（Ａ）と、断面図（Ｂ）とである。
【図７】図３（Ｂ）におけるＹ−Ｙ線に沿った、同軸ケーブル７をアッセンブリした状態の断面図である。
【発明を実施するための形態】
【０００８】
本発明に係る低背形電気コネクタは、コネクタハウジングを電気的にシールドするために囲堯するＥＭＩ対策用の金属製シェルを、側壁部と上部平坦面とに分けて２種類のシェルＡ，Ｂを用意し、シェルＡのロックバネが嵌合相手方の雌型電気コネクタのシェルに接触した際に、挿抜方向に直交する方向での外側に前記ロックバネが逃げないように、前記シェルＢで前記シェルＡの壁面を内側に押圧するようにすることである。また、このシェルＢに、コネクタハウジングに装着して固定した際に、該シェルＢが挿抜方向に抜けないように位置固定する役目も兼用させるものである。また、それにより、シェルＢに嵌合相手の雌型電気コネクタから脱着させるための、引抜き用プルタブを取り付けるようにするものである。更に、シェル同士の電気的接続部を確実にするために、凹部同士をずらして係合させるようにするものである。
【実施例１】
【０００９】
本発明に係るフラットな同軸ケーブル付き低背形電気コネクタ１は、図１に示すように、ＥＭＩ対策として金属製のシェルＡ２，シェルＢ３をコネクタハウジング４の略全面に囲堯させて成る雄型電気コネクタである。
【００１０】
前記低背形電気コネクタ１のシェルＡ２は、例えば、リン青銅製で厚さ０．１５ｍｍ程度の金属製であって、薄肉平板状の前記コネクタハウジング４を、主にその周囲の側壁部４ａ，４ｂ，４ｃ，４ｄに嵌合・固定されて、囲堯するものである。また、前記シェルＢ３は、例えば、ステンレス製で厚さが０．２ｍｍ程度の金属製であって、前記コネクタハウジング４の上部平坦部４ｅを覆うように固定されて囲堯するものである。シェルＡ２の強度よりもシェルＢ３の強度を強くしてある。
【００１１】
前記シェルＡ２には、嵌合相手方の雌型電気コネクタ５（図６及び図７参照）のシェル５ａの係合接触部５ｂ（図７参照）に挿抜方向である上下方向に沿って摺接する接触部２ｂを当該シェルＡ本体部からコ字形に屈曲され延設された先端部に有するロックバネ２ａが設けられている。前記接触部２ｂは、図７に示すように、シェルＡ２の一部を切り起こした先端部の一部に、金型で押し潰して形成した凹部である。また、前記係合接触部５ｂも、前記接触部２ｂの係合箇所に体操する位置に、金型で押し潰して形成した凹部である。
【００１２】
他のロックバネ２ｃも前記嵌合相手方のシェル５の係合凹部に係合してロック作用する。また、係合孔２ｄは、コネクタハウジング４の係合突起４ｅ等に係合して、シェルＡ２の固定作用をする。
【００１３】
前記シェルＢ３には、前記挿抜方向に直交する水平な当該シェルＢ３の本体部３ａからコ字形に屈曲されて延設され前記コネクタハウジング４の側壁部４ａ，４ｄに係合して挿抜方向の位置固定部３ｂとなると共に、この位置固定部３ｂの先端から更に挿抜方向に延設された壁であって前記ロックバネ２ａの嵌合時における挿抜方向に直交する水平方向に逃げるのを阻止するように当接するロックバネ保持部３ｃとなる固定部兼用ロックバネ保持部３ｄが２箇所に設けられている。また、挿抜方向における脱着を阻止する係合部３ｅが、前記固定部兼用ロックバネ保持部３ｄと反対側の側壁に設けられている。
【００１４】
図１（Ａ），（Ｂ）に示すように、前記コネクタハウジング４に複数個のコンタクト１ａが一体に成形され、図７に示すように、そのコンタクト１ａにフラットで可撓性のある同軸ケーブル７におけるグランドバー８及び心線７ａが半田付けされる。符号９は、合成樹脂製の絶縁カバーを示している。また、前記シェルＡ２が先に、その後にシェルＢ３が前記コンタクトハウジング４に装着される。図２に示す状態が、前記シェルＡ２，Ｂ３がコネクタハウジング４にアッセンブリされてなる、低背形電気コネクタ１を斜めから見た状態である。
【００１５】
また、図５（Ａ），（Ｂ）に示すように、前記シェルＢ３にはその左右両端部にスリット３ｆが設けられており、その両スリット３ｆ，３ｆを利用して、一本の帯状にした着脱用のプルタブ１０が、その一端側から前記スリット３ｆ，３ｆに挿通させ、上部で該プルタブ１０の両端部を貼着してツマミ部にして設けられている。
【００１６】
このプルタブ１０を取り付けることができるのは、前記シェルＢ３における固定部兼用ロックバネ保持部３ｄのコ字形部分の位置固定部３ｂと前記係合部３ｅとの協働により、コネクタハウジング４に対してシェルＢ３が挿抜方向で位置固定されているからである。
【００１７】
図６（Ａ），（Ｂ）に示す嵌合相手方となる雌型電気コネクタ５は、プリント基板６に表面実装されるコネクタであり、コネクタハウジング５ｄにコンタクト５ｃが複数個併設されて一体に設けられている。このコンタクト５ｃの一端部５ｅが前記プリント基板６の回路部に半田付けされ、他端部５ｆが、嵌合相手の前記雄型電気コネクタ１のコンタクト１ａに摺接して電気的に導通される。
【００１８】
前記コネクタハウジング５ｄには、その周縁部を囲堯するように金属製シェル５ａが設けられ、電気的にシールドされている。この雌型電気コネクタ５をプリント基板６に実装して、このプリント基板６を水平にした状態で、上方向から前記低背形電気コネクタ１が前記雌型電気コネクタ５に装着されるものである。
【００１９】
以上のように構成される低背形電気コネクタ１により、図７に示すように、プリント基板６上の雌型電気コネクタ５に嵌合・装着させた際に、雌型電気コネクタ５のシェル５ａの係合接触部５ｂと、低背形電気コネクタ１のシェルＡ２のロックバネ２ａにおける接触部２ｂとが挿抜方向で摺接する。このロックバネ２ａがコ字形で弾性力を有して、支持する基部と接触部２ｂとの距離ａが他のロックバネ２ｃの場合に比べて長いので、係合接触部５ｂの反力に押されて水平方向へ後退しようとする。
【００２０】
それに対して、前記ロックバネ２ａのコ字形に立ち上がる壁面に、強度的により強いシェルＢ３のロックバネ保持部３ｃが当接して押し返すようになる。この結果、前記係合接触部５ｂと接触部２ｂとのロック状態が安定して維持されるようになるものである。また、係合接触部５ｂと接触部２ｂとが、凹部でもって当接しその一方の角部が凹部に接触するようになり、ワイパー作用もあって電気的導通が確実となる。
【００２１】
前記シェル５ａとシェルＡ２とが電気的に接続されることで、プリント基板６上の回路におけるアースと、前記シェルＡ２，シェルＢ３とが前記シェル５ａを介して電気的に接続されて、電気コネクタ１，５が全体として電気的にシールドされるものである。
【産業上の利用可能性】
【００２２】
本発明の低背形電気コネクタ１は、ＥＭＩ対策用のシェルにおいて固定部兼用ロックバネ保持部３ｄを設けて実施したが、これに限らず他の電気コネクタにおけるシールド用シェルの嵌合部に適用できるものである。
【符号の説明】
【００２３】
１          電気コネクタ、            １ａ          コンタクト、
２          シェルＡ、                ２ａ          ロックバネ、
２ｂ        接触部、                  ２ｃ          ロックバネ、
２ｄ        係合孔、        
３          シェルＢ、                ３ａ          本体部、
３ｂ        位置固定部、              ３ｃ          ロックバネ保持部、
３ｄ        固定部兼用ロックバネ保持部、
３ｅ        係合部、                  ３ｆ          スリット、  
４          コネクタハウジング、
４ａ，４ｂ，４ｃ，４ｄ            側壁部、
４ｅ        係合突起、
５          雌型電気コネクタ、        ５ａ          シェル、
５ｂ        係合接触部、              ５ｃ          コンタクト、
５ｄ        コネクタハウジング、      ５ｅ          一端部、
５ｆ        他端部、
６          プリント基板、
７          同軸ケーブル、            ７ａ          心線、
８          グランドバー、
９          絶縁カバー、
１０        プルタブ。
【図１】
2010212054.tif 000003
【図２】
2010212054.tif 000004
【図３】
2010212054.tif 000005
【図４】
2010212054.tif 000006
【図５】
2010212054.tif 000007
【図６】
2010212054.tif 000008
【図７】
2010212054.tif 000009
【手続補正書】
【提出日】平成21年3月12日(2009.3.12)
【手続補正１】
【補正対象書類名】図面
【補正対象項目名】全図
【補正方法】変更
【補正の内容】
【図１】
2010212054.tif 000010
【図２】
2010212054.tif 000011
【図３】
2010212054.tif 000012
【図４】
2010212054.tif 000013
【図５】
2010212054.tif 000014
【図６】
2010212054.tif 000015
【図７】
2010212054.tif 000016
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
金属製シェルをコネクタハウジングの略全面に囲堯させて成る電気コネクタであって、
前記シェルはコネクタハウジングを主に周囲の側壁部に固定されてこれを囲堯するシェルＡと、前記コネクタハウジングの上部平坦部を覆うように固定されて囲堯するシェルＢとからなり、
前記シェルＡには、嵌合相手方の雌型コネクタのシェルの係合接触部に挿抜方向である上下方向に沿って摺接する接触部を当該シェルＡ本体部からコ字形に屈曲され延設された先端部に有するロックバネが設けられ、
前記シェルＢには、前記挿抜方向に直交する水平な当該シェルＢの本体部からコ字形に屈曲されて延設され前記コネクタハウジングの側壁部に係合して挿抜方向の位置固定部となると共に、この位置固定部の先端から更に挿抜方向に延設された壁であって前記ロックバネの嵌合時における挿抜方向に直交する水平方向に逃げるのを阻止するように当接するロックバネ保持部となる固定部兼用ロックバネ保持部が設けられていること、
を特徴とする低背形電気コネクタ。
【請求項２】
係合接触部と接触部とは、いずれも金型で押し潰して形成した凹部であること、
を特徴とする請求項１に記載の低背形電気コネクタ。